(57)【特許請求の範囲】
【請求項１】
義歯に配設された磁石装置を吸着させるための義歯アタッチメント用キーパにおいて，
該キーパは，根面板に固定される非磁性体のトレーと，該トレーに装着される軟磁性体のリング部材及びねじ部材とよりなり，
上記トレーは断面略Ｔ字形状を有していると共にその中央部に雌ねじ山を設けた装着孔を有しており，かつ，上記Ｔ字形状の翼部にはその上面外周側をテーパ状に傾けてあり，
上記ねじ部材は上記装着孔に螺着可能な雄ねじ山を設けた胴部と該胴部より大径の頭部とを有しており，
上記リング部材は上記ねじ部材の上記頭部を収納する凹部を有すると共に該凹部の底部に上記胴部を挿入可能な貫通孔を有しており，かつ，上記トレーに対面する下面外周部を上記翼部の上記上面に対応するようにテーパ状に傾けてあり，
上記トレーの上記上面に上記リング部材の上記下面のみを当接させて該リング部材を載置すると共に，該リング部材を貫通させて上記ねじ部材を上記トレーに螺着することにより，上記リング部材の凹部に収納させた上記ねじ部材の頭部と該頭部の外周側に位置するリング部材との両者のみによって上記磁石装置との当接面を形成するよう構成されており，
かつ，上記トレーの上記装着孔は貫通孔であり，その長さは上記ねじ部材の胴部の長さに合わせて設けてあることを特徴とする義歯アタッチメント用キーパ。
【請求項２】
義歯に配設された磁石装置と，該磁石装置を吸着させるためのキーパとよりなる義歯アタッチメントにおいて，
上記磁石装置は，磁力を発生する磁石構造体と，該磁石構造体を保持すると共に上記義歯に固定される固定部材とよりなり，
上記磁石構造体は，略円盤形状を有していると共にその外周側面に外方に突出した大径突出部を有しており，上記固定部材は，上記磁石構造体を保持するリング状の保持部を有していると共に該保持部の内周面に上記大径突出部を収容する窪部を設けてあり，上記磁石構造体の大径突出部を上記固定部材の上記窪部に係合させることにより両者を嵌合接合してあると共に，上記固定部材の上記義歯に対面する端部には開口部を設けてあり，該開口部に上記磁石構造体の一端を露出させてあり，
上記キーパは，根面板に固定される非磁性体のトレーと，該トレーに装着される軟磁性体のリング部材及びねじ部材とよりなり，
上記トレーは断面略Ｔ字形状を有していると共にその中央部に雌ねじ山を設けた装着孔を有しており，かつ，上記Ｔ字形状の翼部にはその上面外周側をテーパ状に傾けてあり，
上記ねじ部材は上記装着孔に螺着可能な雄ねじ山を設けた胴部と該胴部より大径の頭部とを有しており，
上記リング部材は上記ねじ部材の上記頭部を収納する凹部を有すると共に該凹部の底部に上記胴部を挿入可能な貫通孔を有しており，かつ，上記トレーに対面する下面外周部を上記翼部の上記上面に対応するようにテーパ状に傾けてあり，
上記トレーの上記上面に上記リング部材の上記下面のみを当接させて該リング部材を載置すると共に，該リング部材を貫通させて上記ねじ部材を上記トレーに螺着することにより，上記リング部材の凹部に収納させた上記ねじ部材の頭部と該頭部の外周側に位置するリング部材との両者のみによって上記磁石装置との当接面を形成するよう構成されており，
かつ，上記トレーの上記装着孔は貫通孔であり，その長さは上記ねじ部材の胴部の長さに合わせて設けてあることを特徴とする義歯アタッチメント。
【発明の詳細な説明】
【０００１】
【技術分野】
本発明は，磁気吸引力を利用して義歯を固定するための義歯アタッチメントの構造に関する。
【０００２】
【従来技術】
歯科の分野においては，磁気吸引力を利用して義歯を固定するための義歯アタッチメントの開発が進められている。従来の義歯アタッチメント９は，図７に示すごとく，義歯８１に配設された磁石構造体９１と，該磁石構造体９１を吸着させるために根面板８２に配設されたキーパ９２とよりなる。キーパ９２は，軟磁性体により構成されており，上記磁石構造体９１との間において吸引力を発揮する。
【０００３】
近年，医療における診断方法の一つとして，頭部の内部状態を画像に写し出す核磁気共鳴装置(ＭＲＩ)を用いる方法が広く採用されている（以下，ＭＲＩ診断という）。このＭＲＩ診断を行う際に，上記義歯アタッチメント用のキーパが口腔内に配設されている場合には，得られる画像に乱れを生じさせる場合がある。これは，キーパが軟磁性体であるため，ＭＲＩ診断時の磁気を乱すためである。
【０００４】
この対策として，キーパ自体の磁気的影響を少なくする工夫，例えばキーパの小型化，構造の変更等の工夫がなされてきた。しかし，軟磁性体であるキーパが存在する限りは，ＭＲＩ診断への影響を皆無にすることはできない。そこで，キーパを着脱可能に設け，ＭＲＩ診断を行う際にはキーパを口腔内から取り外す対策が検討されてきた。
【０００５】
特開平７−２４１６０２号公報，特開平７−２４１３２号公報，特開平８−６４６号公報，特開平９−２２４９５９号公報，特開平１０−２２９９９２号公報等には，キーパを着脱可能に配設する手法が種々示されている。
これらを代表して図８，図９に従来の着脱可能なキーパ９２を有する義歯アタッチメント９を示す。
【０００６】
同図に示すごとく，上記キーパ９２は，根面板８２に固定されるトレー９２１と，該トレー９２１に螺着されるねじ部材９２２とよりなる。トレー９２１は，非磁性体よりなり，根面板８２に鋳ぐるみ配設される。また，ねじ部材９２２は，軟磁性体よりなり，その胴部９２３をトレー９２１に螺着可能に設けてある。そして，ねじ部材９２２の頭部９２４の当接面９２５の面積を，磁石構造体９１１の当接面９１０の面積に対応させてある。なお，ねじ部材の当接面９２５には，回転工具（ドライバー）を係合させるための係合穴９２６を設けてある。
磁石構造体９１１は，樹脂製のキャップ状の固定部材９１２を介して義歯８１に接着させてある。この磁石構造体９１１と固定部材９１２とを組み合わせたものが磁石装置９１である。
【０００７】
【解決しようとする課題】
ところで，従来の義歯アタッチメント用キーパ９２においては，次の問題がある。
即ち，上記キーパ９２における軟磁性部品は上記ねじ部材９２２のみにより構成されている。そして，このねじ部材９２２の頭部９２４のみによって上記磁石構造体９１１からの荷重を受けている。そのため，ねじ部材９２２の胴部９２３のねじ部への負担が大きくなる。それ故，ねじ部材９２２の大型化，ひいては義歯アタッチメント９全体の大型化を招いてしまう。
【０００８】
また，上記従来の磁石装置９１においては，次の問題がある。
即ち，上記固定部材９１２と磁石構造体９１１との間の接着性は，合成樹脂と金属との接着であるため，必ずしも十分な接着力が得られない場合がある。そのため，義歯アタッチメントの無理な使用によって，上記キャップ状の固定部材９１２から磁石構造体９１１が脱落するおそれがあった。
【０００９】
また，固定部材９１２と磁石構造体９１１とは，これらの接着位置がずれる場合がある。すなわち，固定部材９１２内部への磁石構造体９１１の挿入位置が十分でないまま接着される場合もある。この場合には耐久性に影響を与えるおそれがある。
そのため，上記磁石装置においては，固定部材と磁石構造体との接合力に優れ，かつ，両者の位置合わせが容易な構造の開発が望まれていた。
【００１０】
また，義歯アタッチメントの使用に際しては，キーパを根面板に対して精度よくかつ健全な状態で鋳接する必要がある。そのために，新しいキーパを開発した場合には，これに適した鋳接用の治具も開発することが重要である。
【００１１】
本発明は，かかる従来の問題点に鑑みてなされたもので，着脱可能であると共にコンパクトな構造の義歯アタッチメント用キーパ，及び，固定部材と磁石構造体の接合力に優れていると共に両者の位置合わせが容易な義歯アタッチメント用磁石装置，並びに，これらを用いた義歯アタッチメント，さらには，キーパの優れた鋳接用治具を提供しようとするものである。
【００１２】
【課題の解決手段】
請求項１の発明は，該キーパは，根面板に固定される非磁性体のトレーと，該トレーに装着される軟磁性体のリング部材及びねじ部材とよりなり，
上記トレーは断面略Ｔ字形状を有していると共にその中央部に雌ねじ山を設けた装着孔を有しており，かつ，上記Ｔ字形状の翼部にはその上面外周側をテーパ状に傾けてあり，
上記ねじ部材は上記装着孔に螺着可能な雄ねじ山を設けた胴部と該胴部より大径の頭部とを有しており，
上記リング部材は上記ねじ部材の上記頭部を収納する凹部を有すると共に該凹部の底部に上記胴部を挿入可能な貫通孔を有しており，かつ，上記トレーに対面する下面外周部を上記翼部の上記上面に対応するようにテーパ状に傾けてあり，
上記トレーの上記上面に上記リング部材の上記下面のみを当接させて該リング部材を載置すると共に，該リング部材を貫通させて上記ねじ部材を上記トレーに螺着することにより，上記リング部材の凹部に収納させた上記ねじ部材の頭部と該頭部の外周側に位置するリング部材との両者のみによって上記磁石装置との当接面を形成するよう構成されており，
かつ，上記トレーの上記装着孔は貫通孔であり，その長さは上記ねじ部材の胴部の長さに合わせて設けてあることを特徴とする義歯アタッチメント用キーパにある。
【００１３】
本発明において最も注目すべきことは，上記義歯アタッチメント用のキーパは，上記トレー，リング部材，ねじ部材という３つの部品よりなり，上記トレーにリング部材を載置すると共にねじ部材を螺着することにより，上記ねじ部材の頭部とその外周側に位置するリング部材とによって上記磁石装置との当接面を形成することである。
【００１４】
次に，本発明の作用効果につき説明する。
本発明のキーパは，上記のごとく，非磁性体のトレーと，軟磁性体のリング部材及びねじ部材とよりなる。そして，リング部材及びねじ部材は，ねじ部材とトレーとの螺着状態を解除すれば，取り外すことができる。そのため，キーパを口腔内に配設した後においても，リング部材及びねじ部材を取り外すことにより，口腔内での軟磁性体の存在を無くすることができる。それ故，本発明のキーパを用いれば，義歯アタッチメント使用者であっても，ＭＲＩ診断を正確に行うことができる。
【００１５】
また，上記キーパは，上記のごとく，軟磁性体を上記リング部材とねじ部材という２つの部品により構成してある。そして，上記リング部材は上記ねじ部材により固定はされるものの，上記トレーに直接載置されている。また，上記ねじ部材の頭部は上記のごとくリング部材の凹部に収納され，ねじ部材とリング部材の両者によって上記磁石構造体との当接面が形成される。
【００１６】
そのため，キーパに当接する磁石構造体からの荷重は，上記リング部材とねじ部材の両者によって受け止められる。それ故，従来よりもねじ部材の胴部のねじ山にかかる負荷を軽減することができる。これにより，そのねじ部の小型化を図ることができ，ひいては義歯アタッチメント全体の小型化を実現できる。
また，上記キーパの当接面は，上記のごとく，ねじ部材の頭部だけではなく，リング部材を含めて形成される。そのため，ねじ部材の垂直度などの加工精度は，従来よりもラフにすることができる。
【００１７】
このように，本発明によれば，着脱可能であると共にコンパクトな構造の義歯アタッチメント用キーパを提供することができる。
【００１８】
次に，上記トレーの上記装着孔は貫通孔であり，その長さは上記ねじ部材の胴部の長さに合わせて設けてある。即ち，上記トレーの装着孔には底部を設けずに，上記ねじ部材の胴部の長さに対応させて内面にねじ切りする。これにより，上記ねじ部材の胴部を上記装着孔の内面すべてを有効に利用して螺着させることができると共に，上記トレーの全体高さを低くすることができる。それ故，義歯アタッチメント用キーパ，ひいては義歯アタッチメント全体を，さらにコンパクト化することができる。
【００１９】
次に，義歯アタッチメント用磁石装置としては次の発明がある。
即ち，根面板に固定されたキーパに磁気吸引力を発揮して義歯を固定するための義歯アタッチメント用磁石装置において，
該磁石装置は，磁力を発生する磁石構造体と，該磁石構造体を保持すると共に上記義歯に固定される固定部材とよりなり，
上記磁石構造体は，略円盤形状を有していると共にその外周側面の中央に外方に突出した大径突出部を有しており，上記固定部材は，上記磁石構造体を保持するリング状の保持部を有していると共に該保持部の内周面に上記大径突出部を収容する窪部を設けてあり，
上記磁石構造体の大径突出部を上記固定部材の上記窪部に係合させることにより両者を嵌合接合してあり，
上記固定部材の上記義歯に対面する端部には開口部を設けてあり，該開口部に上記磁石構造体の一端を露出させてあることを特徴とする義歯アタッチメント用磁石装置がある。
【００２０】
本発明において最も注目すべきことは，上記磁石装置は，上記大径突出部を有する磁石構造体と上記窪部を有する固定部材とよりなり，かつ両者は上記大径突出部と上記窪部を係合させることにより嵌合してあることである。
【００２１】
次に，本発明の作用効果につき説明する。
本発明の磁石装置は，上記のごとく，円盤形状の外周側面に上記大径突出部を有する磁石装置と，リング状の保持部の内周面に上記窪部を有する固定部材とよりなる。そのため，両者の接合は，上記大径突出部と窪部を係合させることにより嵌合して行うことができる。それ故，両者の接合は，上記大径突出部と窪部との係合による機械的な作用によって，その接合強度を向上させることができる。
【００２２】
また，上記両者の大径突出部と窪部との間には，従来と同様の接着剤を介在させることもできる。この場合には，上記機械的な作用にあわせて接着剤の接着力が得られ，さらに上記両者の間の接合強度を向上させることができる。
【００２３】
また，上記両者を嵌合させる際の位置合わせは，上記大径突出部と窪部の存在によって，容易に行うことができる。すなわち，両者の大径突出部と窪部を係合させることによって，両者の嵌合位置が必然的に決定される。それ故，上記両者の位置合わせは，従来よりも格段に容易化される。
【００２４】
したがって，本発明のよれば，固定部材と磁石構造体の接合力に優れ，かつ，両者の位置合わせが容易な義歯アタッチメント用磁石装置を提供することができる。
【００２５】
次に，上記固定部材の上記義歯に対面する端部には開口部を設けてあり，該開口部に上記磁石構造体の一端を露出させてある。これにより，上記固定部材の全高，すなわち義歯アタッチメント用磁石装置の全高を小さくすることができる。なお，この開口部の形成は，上述した磁石構造体と固定部材の接合方法，即ち，大径突出部と窪部による機械的な接合力の発生を得ることによりはじめて実現できるものである。
【００２６】
次に，上記優れたキーパ及び磁石装置を用いた義歯アタッチメントとしては，次の発明がある。
即ち，請求項２の発明のように，義歯に配設された磁石装置と，該磁石装置を吸着させるためのキーパとよりなる義歯アタッチメントにおいて，
上記磁石装置は，磁力を発生する磁石構造体と，該磁石構造体を保持すると共に上記義歯に固定される固定部材とよりなり，
上記磁石構造体は，略円盤形状を有していると共にその外周側面に外方に突出した大径突出部を有しており，上記固定部材は，上記磁石構造体を保持するリング状の保持部を有していると共に該保持部の内周面に上記大径突出部を収容する窪部を設けてあり，上記磁石構造体の大径突出部を上記固定部材の上記窪部に係合させることにより両者を嵌合接合してあると共に，上記固定部材の上記義歯に対面する端部には開口部を設けてあり，該開口部に上記磁石構造体の一端を露出させてあり，
上記キーパは，根面板に固定される非磁性体のトレーと，該トレーに装着される軟磁性体のリング部材及びねじ部材とよりなり，
上記トレーは断面略Ｔ字形状を有していると共にその中央部に雌ねじ山を設けた装着孔を有しており，かつ，上記Ｔ字形状の翼部にはその上面外周側をテーパ状に傾けてあり，
上記ねじ部材は上記装着孔に螺着可能な雄ねじ山を設けた胴部と該胴部より大径の頭部とを有しており，
上記リング部材は上記ねじ部材の上記頭部を収納する凹部を有すると共に該凹部の底部に上記胴部を挿入可能な貫通孔を有しており，かつ，上記トレーに対面する下面外周部を上記翼部の上記上面に対応するようにテーパ状に傾けてあり，
上記トレーの上記上面に上記リング部材の上記下面のみを当接させて該リング部材を載置すると共に，該リング部材を貫通させて上記ねじ部材を上記トレーに螺着することにより，上記リング部材の凹部に収納させた上記ねじ部材の頭部と該頭部の外周側に位置するリング部材との両者のみによって上記磁石装置との当接面を形成するよう構成されており，
かつ，上記トレーの上記装着孔は貫通孔であり，その長さは上記ねじ部材の胴部の長さに合わせて設けてあることを特徴とする義歯アタッチメントがある。
【００２７】
本発明においては，上記のごとく，着脱可能であると共にコンパクトなキーパを用いるので，ＭＲＩ診断を容易に行うことができると共に，全体の大きさを小型化することができる。さらには上記磁石装置を用いることにより，その耐久性及び配設精度を向上させることができる。それ故，上記義歯アタッチメントを用いれば，義歯アタッチメントの用途を更に拡大することができる。
【００２８】
次に，請求項１に記載のキーパにおける上記トレーを根面板に鋳接する際に用いる鋳接用治具であって，
上記トレーの上面を覆うための円盤部と，該円盤部から垂設され上記トレーの上記装着穴に螺着可能なねじ込み部とを有し，かつ，該ねじ込み部の長さは，上記キーパにおける上記ねじ部材の上記胴部の長さよりも長いことを特徴とする鋳接治具がある。
【００２９】
本発明の鋳接治具において最も注目すべきことは，上記円盤部とねじ込み部とを有していることである。
この鋳接治具を上記トレーに装着した状態で根面板へのトレーの鋳接（鋳ぐるみ）を行うことにより，トレーを健全な状態で根面板へ鋳接することができる。
【００３０】
即ち，上記円盤部によりトレーの上面を覆うことにより，鋳接時における根面板用の溶湯及び高温ガスとトレー上面との接触を防止することができる。これにより，トレー上面でのスケールの生成等を確実に防止することができる。
また，上記長さを有するねじ込み部をトレーの装着穴に配置することによって，上記と同様に，溶湯が装着穴内に侵入することを防止することができる。そのため，トレーの装着穴を鋳接後においても健全な状態に維持することができる。
【００３１】
また，上記円盤部には，上記ねじ込み部を設けた面と反対側の面に突出させた取手部を設けてあることが好ましい。この場合には，取手部を介して鋳接治具を容易に取り扱うことができる。さらには，鋳接時において，鋳接治具を鋳型に埋設した際の固定手段として機能させることもできる。
【００３２】
また，上記取手部は，上記円盤部から垂設された円柱形状の支柱部とその先端に設けられた頭部とよりなり，該頭部は上記支柱部よりも大径の円柱の側面２箇所を切り取って平面部を設けた形状を有していることが好ましい。この場合には，上記取手部の頭部における上記平面部の存在によって，キーパへのねじ込み作業の容易化及び上記埋設時の固定機能の強化を図ることができる。
【００３３】
【発明の実施の形態】
実施形態例１
本発明の実施形態例にかかる義歯アタッチメント用キーパにつき，図１，図２を用いて説明する。
図１に示すごとく，本例の義歯アタッチメント１は，従来と同様の磁石装置９１に本発明のキーパ２を組み合わせたものである。即ち，義歯８１に配設された磁石装置９１と，該磁石装置９１を吸着させるためのキーパ２とよりなる。
【００３４】
本例のキーパ２は，図１に示すごとく，根面板８２に固定される非磁性体のトレー２１と，該トレー２１に装着される軟磁性体のリング部材２２及びねじ部材２３とよりなる。
上記トレー２１はその中央部に雌ねじ山を設けた装着孔２１０を有している。上記ねじ部材２３は上記装着孔２１０に螺着可能な雄ねじ山を設けた胴部２３１と該胴部２３１より大径の頭部２３２とを有している。上記リング部材２２は上記ねじ部材２３の上記頭部２３２を収納する凹部２２１を有すると共に該凹部２２１の底部に上記胴部２３１を挿入可能な貫通孔２２２を有している。
【００３５】
そして，上記トレー２１に上記リング部材２２を載置すると共に，該リング部材２２を貫通させて上記ねじ部材２３を上記トレー２２に螺着することにより，上記リング部材２２の凹部２２１に収納させた上記ねじ部材２３の頭部２３２と該頭部２３２の外周側に位置するリング部材２２とによって上記磁石装置９１との当接面２０を形成するよう構成されている。
【００３６】
以下，これを詳説する。
上記キーパ２を構成するトレー２１は，図１に示すごとく，断面略Ｔ字形状を呈していると共に，その中央部に上記装着孔２１０を設けてある。Ｔ字形状の翼部２１２は，外周側をテーパ状に傾けて，後述するリング部材２２との位置決め性を向上させている。
【００３７】
装着孔２１０は，同図に示すごとく，貫通孔として設けてあり，その長さは上記ねじ部材２３の胴部２３１の長さに合わせて設けてある。そして装着孔２１０の内面には，その軸方向全長に雌ねじ山を設けてある。
また，このトレー２１は，非磁性体としてのＳＵＳ３１６により設けてあり，上記根面板８２の鋳造時に鋳ぐるむ（鋳接する）ことによって根面板８２に配設される。
【００３８】
上記リング部材２２は，同図に示すごとく，上記トレー２１の形状に合致するように，下面２２５の形状を中央部が突出した形状に設けてある。また，リング部材２２の上面の中央部には，上記のごとく，ねじ部材２３の頭部２３２を収納する凹部２２１を設けてある。そして，凹部２２１の底部には，ねじ部材２３の胴部２３１を遊貫可能な貫通孔２２２を設けてある。
【００３９】
上記ねじ部材２３は，同図に示すごとく，トレー２１の装着孔２１０に螺着可能な雄ねじ山を設けた胴部２３１を有している。この胴部２３１の長さは，これを装着した際に，トレー２１の下端にちょうど胴部２３の先端が露出する長さに合わせてある。
【００４０】
また，ねじ部材２３の頭部２３２は，リング部材２２の凹部２２１に収納できる形状に設けられている。即ち，頭部２３２の厚みは凹部２２１の深さに，頭部２３２の外径は凹部２２１の内径に合わせて設けてある。
また，頭部２３２の上面には，回転工具を係合させるための係合穴２３８を設けてある。
【００４１】
次に，本例の作用効果につき説明する。
本例の義歯アタッチメント１を構成するキーパ２は，上記のごとく，非磁性体のトレー２１と，軟磁性体のリング部材２２及びねじ部材２３とよりなる。そして，リング部材２２及びねじ部材２３は，ねじ部材２３とトレー２１との螺着状態を解除すれば，取り外すことができる。そのため，この取り外しを行えば，キーパ２を口腔内に配設した後においても，口腔内での軟磁性体の存在を無くすることができる。それ故，本例のキーパ２を用いれば，義歯アタッチメント使用者であっても，ＭＲＩ診断を正確に行うことができる。
【００４２】
また，キーパ２は，上記のごとく，軟磁性体部分を，リング部材２２とねじ部材２３という２つの部品により構成してある。そして，リング部材２２はねじ部材２３により固定はされるものの，トレー２１に直接載置されている。また，ねじ部材２３の頭部２３２は上記のごとくリング部材２２の凹部２２１に収納され，ねじ部材２３とリング部材２２の両者によって磁石装置９１との当接面２０が形成される。
【００４３】
そのため，キーパ２に当接する磁石装置９１からの荷重は，リング部材２２とねじ部材２３の両者によって受け止められる。それ故，従来よりもねじ部材２３の胴部２３１にかかる負荷を軽減することができる。これにより，そのねじ部の小型化を図ることができ，ひいては義歯アタッチメント１全体の小型化を実現できる。また，上記キーパ２の当接面２０は，上記のごとく，ねじ部材２３の頭部２３２だけではなく，リング部材２２を含めて形成される。そのため，ねじ部材２３の垂直度などの加工精度は，従来よりもラフにすることができる。
【００４４】
更に，本例では，トレー２１の装着孔２１０は貫通孔であり，その長さはねじ部材２３の胴部２３１の長さに対応して設けてある。そのため，ねじ部材２３の胴部２３１を装着孔２１０の内面すべてを有効に利用して螺着させることができると共に，上記トレー２１の全体高さを低くすることができる。それ故，義歯アタッチメント用キーパ２，ひいては義歯アタッチメント１全体を，さらにコンパクト化することができる。
【００４５】
実施形態例２
本例は，図３に示すごとく，実施形態例１における磁石装置を本発明の構造のものに変更した例である。
即ち，図３に示すごとく，本例における磁石装置１０は，磁力を発生する磁石構造体１１と，磁石構造体１１を保持すると共に義歯８１に固定されるスカート状の固定部材１２とよりなる。
【００４６】
上記磁石構造体１１は，略円盤形状を有していると共にその外周側面に外方に突出した大径突出部１１を有しており，上記固定部材１２は，上記磁石構造体１１を保持するリング状の保持部１２０を有していると共に該保持部１２０の内周面に上記大径突出部１１１を収容する窪部１２１を設けてある。
【００４７】
上記磁石構造体１１の大径突出部１１１を上記固定部材１２の上記窪部１２１に係合させることにより両者を嵌合してある。
更に，本例では，上記固定部材１２の上記義歯８１に対面する端部には開口部を設けてあり，該開口部に上記磁石構造体の一端を露出させてある。
また，上記固定部材１２には，キーパ２のリング部材２２を囲うように延設されたスカート部１２５を設けて，全体をスカート状にしてある。
【００４８】
また，上記磁石構造体１１と固定部材１２との接合を，上記大径突出部１１１と窪部１２１とを係合させることにより両者を嵌合することにより行っている。そのため，両者の接合は，機械的な作用によりその接合強度を向上させることができる。
また，上記両者１１，１２の間には，従来と同様の接着剤を介在させてある。そのため，上記機械的な作用にあわせて接着剤の接着力が得られる。
【００４９】
また，上記両者１１，１２を嵌合させる際には，上記大径突出部１１１と窪部１２１との係合によって，両者の嵌合位置が必然的に決定される。そのため，従来よりも容易に磁石装置の作製を行うことができる。
【００５０】
また，本例の場合には，上述したコンパクトなキーパ２と磁石装置１０との組み合わせにより，義歯アタッチメント１全体の大幅な小型化を実現することができる。具体的には，従来の義歯アタッチメント９（図８）と比べると，３０％以上の小型化を達成することができる。
【００５１】
即ち，磁石装置とキーパとを吸着させた状態で，磁石装置の上端からキーパの下端までの距離を全高とした場合には，その全高は，従来の場合（図８）が４．８ｍｍであるのに対し，本例の場合（図３）は３．３ｍｍとすることができる。
この理由は，上記のごとく，キーパ２および磁石装置１０において積極的な小型化を図ったことにある。
【００５２】
即ち，キーパ２においては，ねじ部材２３の胴部２３１への荷重集中を抑えたことによる，胴部２３１の短小，縮径化，及び，トレー２１の底部を削除して装着孔２１０を貫通孔とした。
また，磁石装置１０においては，上記大径突出部１１１と窪部１２１との係合によって，固定部材１２の上端において開口部の形成を実現した。これにより，磁石装置１０の大幅な小型化が得られた。
このように，本発明においては義歯アタッチメント用キーパ２，磁石装置１０，ひいては義歯アタッチメント１全体を大幅に小型化することができ，その用途を更に拡大することができる。
【００５３】
さらに，本例では，図４に示すごとく，磁石構造体１１とキーパ２とを当接させた状態において，リング部材２２とスカート部１２５との間に０．０５〜０．５ｍｍの隙間ｄを設けた。そのため，磁石装置１０とキーパ２との当接作業時に，位置合わせを容易に行うことができる。
【００５４】
参考例１
本例では，実施形態例１，２におけるキーパ２のトレー２１を根面板８２に鋳接する際に用いる鋳接用治具７の例について示す。
本例における鋳接治具７は，図５に示すごとく，トレー２１の上面を覆うための円盤部７１と，該円盤部７１から垂設されトレー２１の装着穴２１０に螺着可能なねじ込み部７２とを有する。ねじ込み部７２の長さは，キーパ２におけるねじ部材２３の胴部２３１の長さよりも長くしてある。
【００５５】
また，円盤部７１には，ねじ込み部７２を設けた面と反対側の面に突出させた取手部７３を設けてある。
取手部７３は，円盤部７１から垂設された円柱形状の支柱部７３１とその先端に設けられた頭部７３２とよりなる。頭部７３２は支柱部７３１よりも大径の円柱の側面２箇所を切り取って平面部７３３を設けた形状を有している。
【００５６】
次に，この鋳接治具７を用いてキーパ２のトレー２１を根面板８２に鋳接するに当たっては，図６に示す鋳型６を用いて行う。
具体的には，同図に示すごとく，トレー２１に鋳接治具７を装着した状態で根面板８２及び湯道６１の形状に対応した模型をろうにより作製し，鋳型材に埋没させる。次いで，鋳型材を焼成すると共に模型のろうを消滅させ，トレー２１及び鋳接治具７を埋設した状態の鋳型６を形成する。
【００５７】
次いで，湯道６１の上端に設けた湯口６２から根面板用の溶湯を注入し，鋳接作業を行う。溶湯が凝固した後，鋳型を壊し，根面板８２埋設された状態のトレー２１及び鋳接治具７を取り出す。次いで，トレー２１から鋳接治具７を取り外すことにより，根面板８２へのトレー２１の鋳接が完了する。
【００５８】
次に，本例の作用効果につき説明する。
本例においては，上記鋳接作業において鋳接治具７の円盤部７１によりトレー２１の上面を覆っているので，根面板用の溶湯及び高温ガスがトレーの上面に接触することを防止することができる。これにより，トレー２１上面でのスケールの生成等を確実に防止することができる。
また，ねじ込み部７２をトレー２１の装着穴２１０に配置することによって，溶湯及び高温ガスが装着穴２１０内に侵入することを防止することができる。そのため，トレー２１の装着穴２１０を鋳接後においても健全な状態に維持することができる。
【００５９】
さらに，円盤部には，上記構造の取手部７３を設けてある。そのため，鋳接治具７のトレーへの着脱作業を取手部７３を介して容易に行うことができ，さらには，鋳接時において，鋳接治具を鋳型に埋設した際の固定手段として機能させることもできる。それ故，鋳接精度を向上させることもできる。
【００６０】
【発明の効果】
上述のごとく，本発明によれば，着脱可能であると共にコンパクトな構造の義歯アタッチメント用キーパ，及び，固定部材と磁石構造体の接合力に優れていると共に両者の位置合わせが容易な義歯アタッチメント用磁石装置，並びに，これらを用いた義歯アタッチメント，さらには，キーパの優れた鋳接用治具を提供することができる。
【図面の簡単な説明】
【図１】  実施形態例１における，義歯アタッチメントを示す一部切り欠き断面図。
【図２】  実施形態例１における，義歯アタッチメント用キーパの磁石構造体との当接面を示す説明図。
【図３】  実施形態例２における，義歯アタッチメントを示す一部切り欠き断面図。
【図４】  実施形態例２における，磁石装置とキーパとを当接させた状態を示す説明図。
【図５】  参考例１における，鋳接治具の，（ａ）平面図，（ｂ）正面図。
【図６】  参考例１における，鋳型に埋設されたトレー及び鋳接治具を示す説明図。
【図７】  従来例における，義歯アタッチメントの構成を示す説明図。
【図８】  従来例における，義歯アタッチメントを示す一部切り欠き断面図。
【図９】  従来例における，義歯アタッチメント用キーパの磁石構造体との当接面を示す説明図。
【符号の説明】
１．．．義歯アタッチメント，
１１．．．磁石構造体，
１２．．．固定部材，
１２５．．．スカート部，
２．．．キーパ，
２０．．．当接面，
２１．．．トレー，
２２．．．リング部材，
２２１．．．凹部，
２２２．．．貫通孔，
２３．．．ねじ部材，
２３１．．．胴部，
２３２．．．頭部，
６．．．鋳型，
７．．．鋳接治具，
７１．．．円盤部，
７２．．．ねじ込み部，
７３．．．取手部，
【図１】
0004320373.tif 000002
【図２】
0004320373.tif 000003
【図３】
0004320373.tif 000004
【図４】
0004320373.tif 000005
【図５】
0004320373.tif 000006
【図６】
0004320373.tif 000007
【図７】
0004320373.tif 000008
【図８】
0004320373.tif 000009
【図９】
0004320373.tif 000010